(57)【要約】      （修正有）【課題】  ダンパ内へリザーバから作動油の浸入があっても、ダンパ内の圧力を所望の圧力に維持できるようにしたダンパ内蔵型フロントフォークへの利用に最適となる油圧緩衝器を提供することである。【解決手段】  ダンパーシリンダ２の端部に中空なキャップ６を結合し、アキュムレータＡをキャップ６に結合したコネクティングロッド５と、コネクティングロッド５外周とキャップ６の内周に沿ってスライド自在に挿入したガイド４と、ガイド４の外側に固定した弾性隔壁部材２０と、弾性隔壁部材２０の内側とキャップ６内にそれぞれ画成され相互に連通する気体室と、弾性隔壁部材２０の外側に画成した油室８とで構成し、又キャップ６とガイド４との間にリターンスプリング１０を介在し、更に上記リザーバＲと上記油室８とを上記ガイドのスライドに伴って連通又は遮断させる通孔をキャップ６とダンパーシリンダ２に形成したことを特徴とする。【選択図】        図１
2006189085.tif 000002
【特許請求の範囲】
【請求項１】
アウターチューブ内にダンパーシリンダを結合し、アウターチューブとダンパーシリンダ間にリザーバを設け、ダンパーシリンダ内にアキュムレータを設けている油圧緩衝器において、ダンパーシリンダの端部に中空なキャップを結合し、アキュムレータをキャップに結合したコネクティングロッドと、コネクティングロッド外周とキャップの内周に沿ってスライド自在に挿入したガイドと、ガイドの外側に固定した弾性隔壁部材と、弾性隔壁部材の内側とキャップ内にそれぞれ画成され相互に連通する気体室と、弾性隔壁部材の外側に画成した油室とで構成し、又キャップとガイドとの間にリターンスプリングを介在し、更に上記リザーバと上記油室とを上記ガイドのスライドに伴って連通又は遮断させる通孔をキャップとダンパーシリンダに形成したことを特徴とする油圧緩衝器。
【請求項２】
ガイドの端部にピストン部を設け、ピストン部の外周又はキャップの内周にシールを設けながら当該ピストン部をキャップの内周に摺接させている請求項１の油圧緩衝器。
【請求項３】
ガイド内周とコネクティングロッドの外周との間にシールを設けている請求項１又は２の油圧緩衝器。
【請求項４】
ガイドに弾性隔壁部材の内側気体室とキャップ内の気体室とを連通する連通路を形成し、当該連通路の数，長さ，内径を絞り効果が出るように設定している請求項１，２又は３の油圧緩衝器。
【発明の詳細な説明】
【技術分野】
【０００１】
本発明は、自動二輪車の車体と車軸間に介装されて路面からの振動を減衰する緩衝器とフォークを兼ねたフロントフォークの使用に適する油圧緩衝器に関し、特に、ダンパーシリンダ内に組込んだアキュムレータを改良した油圧緩衝器に関する。
【背景技術】
【０００２】
一般に、自動二輪車用ダンパ内臓型フロントフォーク等の油圧緩衝器では、例えば、特許文献１に示すように、ダンパーシリンダ内にアキュムレータを設けてダンパ内における内圧を補償するものが知られている。
【０００３】
即ち、このアキュムレータは、一般に、気体室内の気体圧を適宜に設定することで伸長時にダンパ内に負圧を発生させず、安定した減衰力を発生できるようにしている。
【０００４】
上記特許文献１に示す油圧緩衝器は、図４の実施図面に示すように、アウターチューブ４１と、アウターチューブ４１内に挿入したインナーチューブと、各チューブ内に挿入したダンパーシリンダ４２と、ダンパーシリンダ４２内の上部に設けたアキュムレータＡ１を有している。
【０００５】
そして、このアキュムレータＡ１は、キャップ４３側に結合したコネクティング４４とガイド４５とにそれぞれ両端を結合したブラダ等からなる弾性隔壁部材４６と、この弾性隔壁部材４６内に画成した気体室４７と、プラダ４６の外側に設けた油室４８とで構成されている。
【０００６】
それゆえ、気体室４７における内圧を適宜に設定することで、油圧緩衝器たるダンパ内臓型フロントフォークが伸び切り状態にあるときにもダンパにおける内圧を負圧にせず、したがって、フロントフォークが伸び切り状態から収縮作動を開始する当初から、ダンパによって所定の圧側減衰力を発生し得ることになる。
【特許文献１】実公平４−５２５Ｄ２号公報（実用新案登録請求の範囲（２），同（４））
【発明の開示】
【発明が解決しようとする課題】
【０００７】
しかしながら、上記の弾性隔壁部材４６を有するアキュムレータＡ１の構造をみると、ダンパが伸縮作動するとき、リザーバの作動油がピストンロッド摺動部等を介してダンパ内に浸入することがある。
【０００８】
このため、ダンパ内の作動油量が増加すると、ダンパ内の圧力が上昇し、その作動油量が著しく多くなったときは、フロントフォークの収縮作動時の抵抗が大きくなって乗心地を悪くさせることになり、また、高圧作用でダンパ内のオイルシール等が損傷する恐れがある。
【０００９】
この発明は、このような現状を鑑みて創案されたものであって、その目的とするところは、ダンパ内へリザーバから作動油の浸入があっても、ダンパ内の圧力を所望の圧力に維持できるようにしたダンパ内蔵型フロントフォークへの利用に最適となる油圧緩衝器を提供することである。
【課題を解決するための手段】
【００１０】
上記の目的を達成するため、本発明の手段は、アウターチューブ内にダンパーシリンダを結合し、アウターチューブとダンパーシリンダ間にリザーバを設け、ダンパーシリンダ内にアキュムレータを設けている油圧緩衝器において、ダンパーシリンダの端部に中空なキャップを結合し、アキュムレータをキャップに結合したコネクティングロッドと、コネクティングロッド外周とキャップの内周に沿ってスライド自在に挿入したガイドと、ガイドの外側に固定した弾性隔壁部材と、弾性隔壁部材の内側とキャップ内にそれぞれ画成され相互に連通する気体室と、弾性隔壁部材の外側に画成した油室とで構成し、又キャップとガイドとの間にリターンスプリングを介在し、更に、上記リザーバと上記油室とを上記ガイドのスライドに伴って連通又は遮断させる通孔をダンパーシリンダに形成したことを特徴とするものである。
【発明の効果】
【００１１】
各請求項の発明によれば、アキュムレータ内の油室の作動油が熱膨張したり、ダンパ内の作動油が流入したりして作動油量が増加し、この状態で圧縮作動して弾性隔壁部材が最収縮してもガイドがリターンスプリングに抗して移動し、アキュムレータ側の油室をリザーバ側に連通孔を介して連通するから、油室内の作動油がリザーバ側に排出され、減衰力が安定し，圧縮時の作動抵抗い行が異常に大きく発生する事が無く、油圧緩衝器自体に無理な負荷がかかるのを防止でき、その結果、内部のシール等の部材を損傷するのが防止され、作動油の洩れを防止できる。
【発明を実施するための最良の形態】
【００１２】
以下、本発明の実施形態を図にもとづいて説明するが、本発明に係る油圧緩衝器たるダンパ内臓型フロントフォークは、図１に示すように、アウターチューブ１内にダンバーシリンダ２を挿入して結合し、アウターチューブ１とダンパーシリンダ２間にリザーバＲを設け、ダンパーシリンダ２内にアキュムレータＡを設けているものである。
【００１３】
そして、本発明ではダンパーシリンダ２の端部に中空なキャップ６を結合し、アキュムレータＡをキャップ６に結合したコネクティングロッド５と、コネクティングロッド５外周とキャップ６の内周に沿ってスライド自在に挿入したガイド４と、ガイド４の外側に固定した弾性隔壁部材２０と、弾性隔壁部材２０の内側とキャップ６内にそれぞれ画成され相互に連通する気体室７，９と、弾性隔壁部材２０の外側に画成した油室８とで構成している。
【００１４】
又、キャップ６とガイド４との間にリターンスプリング１０を介在し、更に、上記リザーバＲと上記油室８とを上記ガイド４のスライドに伴って連通又は遮断させる通孔１８Ａ，１８Ｂ，１８Ｃ及び通孔１９をそれぞれキャップ６とダンパーシリンダ２とに形成している。
【００１５】
上記の場合、ガイド４の端部にピストン部４Ｃを設け、当該ピストン部４Ｃをキャップ６の内周に設けたシールＤ１，Ｄ２を介してキャップ６の内周に摺接させている。
【００１６】
又、ガイド４の筒状本体４Ｂ内周とコネクティングロッド５の外周との間にシールＤ３を設けている。
【００１７】
以下、更に詳しく説明すると、図１及び図２は、本発明の一実施の形態を示し、図３は、他の実施の形態を示すが、各実施の形態に係る油圧緩衝器は、自動二輪車用のダンパ内臓型フロントフォークとして適用したものである。
【００１８】
このフロントフォークは、図１に示すように、車体側チューブたるアウターチューブ１内に車輪側チューブたるインナーチューブ（図示せず）が摺動自在に挿入され、各チューブ内にダンパ１１を内蔵し、ダンパ１１内上方にアキュムレータＡを設けたものである。
【００１９】
ダンパ１１は、ダンパーシリンダ２と、ダンパーシリンダ２内にピストンを介して挿入されたピストンロッド（図示せず）と、ピストンと隔壁部材２７とで画成された油室１２と、隔壁部材２７の上方に画成されたアキュムレータＡと、隔壁部材２７に設けられてアキュムレータＡと油室１２とを連通する伸側油路１３及び圧側油路１４と、油路１３，１４の途中にそれぞれ開閉自在に設けた伸側チェックバルブ１５及び減衰バルブ１６とを備えている。
【００２０】
アキュムレータＡは、ダンパーシリンダ２の端部に設けたコネクティングロッド５と、このコネクティングロッド５の外周にスライド自在に挿入した筒状のガイド４と、ガイド４の外側に固定したブラダ等からなる弾性隔壁部材２０と、弾性隔壁部材２０の内側に画成した気体室７と、弾性隔壁部材２０の外側に画成した油室８とから構成されている。
【００２１】
アウターチューブ１の上端部内側にダンパーシリンダ２の上端部が螺合され、ダンパーシリンダ２の上端部内側に中空なキャップ６が螺着されており、キャップ６の中央にはコネクティングロッド５が結合されて下方に垂設され、このコネクティングロッド５の外周にガイド４がスライド自在に挿入されている。
【００２２】
ガイド４は、筒部本体４Ｂと、本体４Ｂの両端の厚肉基部４Ａ，４Ｄと、上方の厚肉基部４Ａに連なるピストン部４Ｃと、上方の肉厚基部４Ａに形成されて気体室７と気体室９とに連通する連通路２３とを備え、ピストン部４Ｃはキャップ６の内周に設けたシールＤ１，Ｄ２を介してキャップ６の内周に摺接している。
【００２３】
キャップ６の上面とガイド４の内周段部との間にはリターンスプリング１０が介装されると共に気体室９が画成され、この気体室９は、上記の連通路２３を介してアキュムレータＡ側の気体室７に連通している。
【００２４】
ガイド４は、常時はリターンスプリング１０の反力でコネクティングロッド５に形成したストッパ部５ａに当接している。
【００２５】
ダンパーシリンダ２の上端部には半径方向の通孔１９が形成され、同じくキャップ６の筒部には他の通孔１８Ａ，１８Ｂ，１８Ｃが形成され、これらの通孔１８Ａ，１８Ｂ，１８Ｃと１９は、アウターチューブ１とダンパーシリンダ２との間に画成されたリザーバＲに連通し、ガイド４のピストン部４Ｃが図上左行した時ガイド４の上方環状溝４Ｅが通孔１８Ａに対向し、その結果アキュムレータＡの油室８をリザーバＲに接続するようになっている。
【００２６】
即ち、キャップ６の筒部にはシールＤ１，Ｄ２間に位置する通孔１８Ａが形成され、ガイド４が図上左方にスライドし、シールＤ２に環状溝４Ｅが対向した時油室８圧力の押圧力や自己復元力でシールＤ２が外径方向に拡径することによって油路が開口し、通孔１９とを介してリザーバＲに連通するようになっている。
【００２７】
上記のフロントフォークによれば、圧縮作動では、アウターチューブ１とダンパーシリンダ２が図上右行し、油室１２が収縮し、ピストンロッド浸入体積分の作動油が圧側減衰バルブ１６を介してアキュムレータＡの油室８内に侵入することによって圧側減衰力を発生し、このとき弾性隔壁部材２０が収縮する。
【００２８】
伸長作動時にはアウターチューブ１とダンパーシリンダ２とが図上左行し、この時油室１２が拡大し、アキュムレータＡの油室８からチェックバルブ１５を介してピストンロッド退出分の作動油が油室１２に供給され、このとき弾性隔壁部材２０は気体室７の内圧で押圧されて膨張し、またこのとき、ピストンロッドに結合したピストンに設けた減衰バルブ（図示せず）により伸側減衰力を発生する。
【００２９】
リザーバＲからダンパ１１に作動油が浸入しない伸縮作動では弾性隔壁部材２０の収縮、膨張によって、油室１２側に生じるピストンロッド侵入体積分の油量変化が補償される。
【００３０】
しかし、洩油によってリザーバＲからダンパ１１内に作動油が浸入し、ダンパ１１内の作動油が増加すると圧縮作動時に油室８内の内圧が昇圧し、ガイド４に対する図中左方向の推力が大きくなってリターンスプリング１０の抗力以上に達するとピストン部４Ｃを介してガイド４がキャップ６の筒部内周に沿ってスライドし、且つコネクティング５ロッドに沿って図上左行する。
【００３１】
このとき、環状溝４ＥがシールＤ２に対向する位置まで移動すると、図２に示すように、シールＤ２が外径方向に拡径してシールＤ２と環状溝４Ｅとの間の隙間たる油路が開口し、油室８が通孔１８Ａ，１８Ｂ，１８Ｃ，通孔１９を介してリザーバＲに連通し、余剰の作動油がリザーバＲに回収される。
【００３２】
即ち、作動油が熱膨張したり、リザーバＲからダンパ１１内に作動油が洩れによって浸入して油室８内の作動油油量が増加していても、ガイド４のスライドにより余剰の作動油がリザーバＲ側に排出されるので、油室８内の内圧上昇よってフロントフォークの圧縮作動抵抗が大きくなって乗心地を悪くすることが防止できる。
【００３３】
図３は、本発明の他の実施形態に係り、これは、図１のフロントフォークを変更したもので、ガイド４のピストン部４Ｃを肉厚に成形し、このピストン部４Ｃの外周にシールＤ１、Ｄ２を設けたもので、他の構造作用効果は、図１の実施の形態と同じであり、従って、図１と同じ構造は同一の符号を付すことで詳細は省略する。
【００３４】
上記図１及び図３の実施形態では上記のように、ガイド４に弾性隔壁部材２０の内側気体室７とキャップ６内の気体室７とを連通する連通路を形成しているが、当該通路２３の数，長さ，内径を絞り効果が出るように又は絞り効果が出ないように設定したり、更に弾性隔壁部材２０を剛性と重量が小さくなる材料で成形したり、キャップ６内の気体室７の容積を最圧縮時に零叉はほぼ零となる大きさに設定したり、バルブ２６から供給する気体室７，９への供給量を調整することにより所望の減衰力をその都度調節することもできる。
【図面の簡単な説明】
【００３５】
【図１】本発明の一実施の形態に係るフロントフォークの一部縦断正面図である。
【図２】図１の最圧縮時の断面図である。
【図３】他の実施の形態に係るフロントフォークの一部縦断正面図である。
【図４】従来のフロントフォークの一部縦断正面図である。
【符号の説明】
【００３６】
Ａ  アキュムレータ
Ｒ  リザーバ
１  アウターチューブ
２  ダンパーシリンダ
４  ガイド
５  コネクティングロッド
５  キャップ
８  油室
１０  リターンスプリング
１８Ａ，１８Ｂ，１８Ｃ  通孔
１９通孔
２０  弾性隔壁部材
【図１】
2006189085.tif 000003
【図２】
2006189085.tif 000004
【図３】
2006189085.tif 000005
【図４】
2006189085.tif 000006